(57)【要約】      （修正有）【課題】ＬＥＤモジュールの組立構造を簡易化し、低コストでＬＥＤ照明器具を提供する。【解決手段】ＬＥＤ照明器具Ｌの本体１０を押し出し成形する際に、天板部１２に溝１３、側壁１６に溝１８を一体に形成する。そして溝を形成した天板部１２、側壁１６をＬＥＤ３０が実装された基板３３の取付面としてＬＥＤ基板３３を溝１３、１８に取り付けることにより、多数のネジを使用することなく、組立構造の簡単なＬＥＤ照明器具Ｌを構成することができる。また、この構造には反射板を取り付けることも可能である。【選択図】図１
2010118277.tif 000002
【特許請求の範囲】
【請求項１】
ＬＥＤが実装された基板と；
前記基板を取り付ける基板取付面を有し、押し出し成形された本体と；
前記本体の押し出し成形時に形成され、前記基板を基板取付面に取り付ける少なくとも１つの取付手段と；
を具備したことを特徴とするＬＥＤ照明器具。
【請求項２】
前記取付手段は、前記基板取付面に本体の押し出し方向に同幅で形成され、ネジを取付可能に構成された第１の溝であることを特徴とする請求項１に記載のＬＥＤ照明器具。
【請求項３】
前記取付手段は、前記基板取付面の側部に前記基板の厚みとほぼ同幅となるように前記本体の押し出し方向に設けられた第２の溝であることを特徴とする請求項１または２に記載のＬＥＤ照明器具。
【請求項４】
前記本体は、両端が開放されるとともに下方に開口部を有する断面略コ字状に形成され、開口部と対向する上面部および上面部の両側端から開口側へ垂下する側面部に基板取付面を有し、各基板取付面に対して基板を取付可能な取付手段を設けたことを特徴とする請求項１ないし３のいずれか一に記載のＬＥＤ照明器具。
【請求項５】
前記本体の両側面部の上面部側にそれぞれ第３の溝を形成するとともに、両側面部に基板を配設し、各基板と対向するように第３の溝から開口部の中央に向かって傾斜する反射面を有する反射板を第３の溝に係合させて保持することを特徴とする請求項４に記載のＬＥＤ照明器具。
【請求項６】
前記本体は、一方の側面部の上面部側に第３の溝を形成するとともに、他方の側面部の下端開口部側に本体の押し出し形成時に形成される第４の溝を有し、一方の側面部に基板を配設するとともに、基板と対向するように第３の溝から第４の溝に向かって傾斜する反射面を有する反射板を第３の溝および第４の溝に係合させて保持することを特徴とする請求項４に記載のＬＥＤ照明器具。
【請求項７】
本体の押し出し成形時に形成され、本体と一体に設けられた反射板を具備したことを特徴とする請求項１ないし３のいずれか一に記載のＬＥＤ照明器具。
【請求項８】
前記本体が着脱自在に取付られ、被設置部へ設置する設置手段を有する器具本体を具備したことを特徴とする請求項１ないし７のいずれか一に記載のＬＥＤ照明器具。
【発明の詳細な説明】
【技術分野】
【０００１】
この発明は、ＬＥＤを光源として用いるＬＥＤ照明器具に関するものである。
【背景技術】
【０００２】
従来のＬＥＤ照明器具においては、複数のＬＥＤが実装された基板を、幾つかのネジを用いて被取付部に固定している（特許文献１参照）。また、放熱のためには、ネジの個数を多くし、基板と被取付部との密着を高める必要がある。
【特許文献１】特開２００７−１２３２２号公報
【発明の開示】
【発明が解決しようとする課題】
【０００３】
しかしながら、基板をネジで固定する場合、ネジの個数に応じて被取付部にネジ穴を設ける必要があるため、作業工数が増えてコストが増大するという問題があった。
【０００４】
本発明は上記の課題に鑑みなされたもので、その目的は、ＬＥＤモジュールの組立構造を簡易化し、低コストでＬＥＤ照明器具を提供することである。
【課題を解決するための手段】
【０００５】
本発明に係るＬＥＤ照明器具は、ＬＥＤが実装された基板と；前記基板を取り付ける基板取付面を有し、押し出し成形された本体と；前記本体の押し出し成形時に形成され、前記基板を基板取付面に取り付ける少なくとも１つの取付手段と；を具備したことを特徴とする。
【０００６】
本体は、押し出し成形に好適なアルミニウムなどの材料により構成される。取付手段とは、溝、突起、凹部など、本体の押し出し成形時に形成することが可能であって基板を基板取付面に取り付ける際に用いられる全ての手段を含む。基板取付面は、一面に限らず、複数面であっても良い。
【０００７】
本発明に係るＬＥＤ照明器具では、前記取付手段は、前記基板取付面に本体の押し出し方向に同幅で形成され、ネジを取付可能に構成された第１の溝であることを特徴とする。
【０００８】
本発明に係るＬＥＤ照明器具では、前記取付手段は、前記基板取付面の側部に前記基板の厚みとほぼ同幅となるように前記本体の押し出し方向に設けられた第２の溝であることを特徴とする。
【０００９】
本発明に係るＬＥＤ照明器具では、前記本体は、両端が開放されるとともに下方に開口部を有する断面略コ字状に形成され、開口部と対向する上面部および上面部の両側端から開口側へ垂下する側面部に基板取付面を有し、各基板取付面に対して基板を取付可能な取付手段を設けたことを特徴とする。
【００１０】
本発明に係るＬＥＤ照明器具では、前記本体の両側面部の上面部側にそれぞれ第３の溝を形成するとともに、両側面部に基板を配設し、各基板と対向するように第３の溝から開口部の中央に向かって傾斜する反射面を有する反射板を第３の溝に係合させて保持することを特徴とする。反射板を本体と一体に設けることで、反射板の反射面は、平面や屈曲した形状とすることができる。
【００１１】
本発明に係るＬＥＤ照明器具では、前記本体は、一方の側面部の上面部側に第３の溝を形成するとともに、他方の側面部の下端開口部側に本体の押し出し形成時に形成される第４の溝を有し、一方の側面部に基板を配設するとともに、基板と対向するように第３の溝から第４の溝に向かって傾斜する反射面を有する反射板を第３の溝および第４の溝に係合させて保持することを特徴とする。
【００１２】
本発明に係るＬＥＤ照明器具では、本体の押し出し成形時に形成され、本体と一体に設けられた反射板を具備したことを特徴とする。
【００１３】
本発明に係るＬＥＤ照明器具では、前記本体が着脱自在に取付られ、被設置部へ設置する設置手段を有する器具本体を具備したことを特徴とする。
【発明の効果】
【００１４】
本発明に係る請求項１に記載のＬＥＤ照明器具によれば、基板を取り付けるためのネジ孔を本体に形成する必要がなく、コストを低減させることができる。
【００１５】
本発明に係る請求項２に記載のＬＥＤ照明器具によれば、第１の溝がネジを取付可能に構成されているので、基板を取り付けるためのネジ孔を本体に形成する必要がなく、コストを低減させることができる。
【００１６】
本発明に係る請求項３に記載のＬＥＤ照明器具によれば、第２の溝が本体の押し出し方向に設けられた構成となっているので、基板を取り付けるためのネジ孔を本体に形成する必要がなく、コストを低減させることができる。
【００１７】
本発明に係る請求項４に記載のＬＥＤ照明器具によれば、本体の上面部および側面部に基板を配設可能な構成とすることによって、共通の本体で様々な配光を可能とできる効果がある。
【００１８】
本発明に係る請求項５に記載のＬＥＤ照明器具によれば、基板を縦配置とすることでＬＥＤの眩しさを抑制することができる。また、共通化した本体の取付手段の一部を反射板の取付け構造として利用したので、反射板を取付けるための手段を別途設ける必要がないという利点がある。
【００１９】
本発明に係る請求項６に記載のＬＥＤ照明器具によれば、基板を縦配置とすることでＬＥＤの眩しさを抑制する。また、反射板の取付手段で本体成形時に形成することができるので、反射板を取付けるための手段を本体形成後に設ける必要がないという利点がある。
【００２０】
本発明に係る請求項７に記載のＬＥＤ照明器具によれば、本体の押し出し成形時に形成され、本体と一体に設けられた反射板を具備したので、反射板取付作業が必要ないという利点がある。
【００２１】
本発明に係る請求項８に記載のＬＥＤ照明器具によれば、押し出し本体とは別部材で器具本体を形成したので、加工が複雑になる基板取付構造を押し出し成形時に同時に形成することで作業工程を減らし、基板と本体とをユニット化することで、器具本体の共用化を図ることができる。
【発明を実施するための最良の形態】
【００２２】
以下添付図面を参照して、本発明の実施例に係るＬＥＤ照明器具を説明する。各図において、同一の構成要素には、同一の符号を付して重複する説明を省略する。図１には、実施例に係るＬＥＤ照明器具Ｌの組立斜視図が示されている。ＬＥＤ照明器具は上記図１に示されるように、本体１０の中央部に形成された溝状の天板部１２に、複数のＬＥＤ３０が一列に並べられて実装され、適宜な位置に穴３５が穿設された短冊状の基板３３を配置する。所要位置の穴３５にネジ３４を挿入し、天板部１２の中央に形成された一条の溝１３にネジ３４を食い込ませるように螺合して基板３３を固定する。基板３３は、天板部１２の長手方向の長さに応じて必要な枚数が取り付けられる。このように、本体１０、ＬＥＤ３０、基板３３、ネジ３４によってＬＥＤモジュールＭが形成されている。
【００２３】
また、本体１０の天板部１２の幅方向の両端部からは、ほぼ直角に側壁１６が平面部１５まで延びており、側壁１６の中央部には一条の溝１８が長尺方向に延びるように形成されている。つまり、基板取付面の側部に上記基板３３の厚みとほぼ同幅となるように上記本体１０の押し出し方向に設けられた第２の溝である溝１８が形成されている。複数のＬＥＤ３０が一列に並べられて実装された基板３３を、図１に示したようにして側壁１６に配置し固定することができる。このように、溝１３、１８は、基板３３を基板取付面である天板部１２や側壁１６に取り付ける際の取付手段として機能する。
【００２４】
本体１０の裏面側には、天板２１の二長辺部分が天板２１から直角よりも内側に折り曲げられて側板２２とされた器具筐体２０を備えられている。更に、器具筐体２０には安定器２３を含む点灯回路が備えられている。
【００２５】
器具筐体２０の天板２１における長手方向の両端部には、天板２１と固着する二本の脚部の先端にネジ穴２４が形成された平板を備える固定片２５が備えられている。一方、本体１０はアルミニウム製の押出し材であり、側方向から見ると底辺を除いた台形形状を有している。傾斜面を形成する側板部１１と、天板部１２の両側に添うように存在する平面部１５とを有する。本体１０の天板部１２には、中央に本体１０を押し出し成形する際に形成された一条の溝１３が長尺方向に延びるように設けられている。本体１０の天板部１２における長手方向の両端部には、貫通孔１７が形成されており、貫通孔１７と固定片２５のネジ穴２４が位置合わせされて、ネジ１４によりＬＥＤモジュールＭと器具筐体２０が一体化されて、ＬＥＤ照明器具が構成される。
【００２６】
上記のように本体１０には、基板３３を取り付ける基板取付面は、天板部１２に一面存在し、両方の側壁１６に各一面存在する。図２は、ＬＥＤモジュールの本体１０に取り付けられた基板３３を本体１０の長手方向側面から見た図である。取り付ける基板３３を一枚とした場合には、図２（ａ）、（ｂ）に示すように二通りの取付け状態を採用することができる。また、取り付ける基板３３を二枚とした場合には、図２（ｃ）、（ｄ）に示すように二通りの取付け状態を採用することができる。更に、取り付ける基板３３を三枚とした場合には、図２（ｅ）に示すように一通りの取付け状態を採用することができる。基板３３を天板部１２に取り付ける場合には、本体１０として両方の側壁１６の高さ寸法が短い図２（ｆ）に示すような形状のものを採用することができる。
【００２７】
上記本体１０は、両端が開放されるとともに下方に開口部を有する断面略コ字状に形成され、開口部と対向する上面部および上面部の両側端から開口側へ垂下する側壁１６である側面部に基板取付面を有し、各基板取付面に対して基板を取付可能な取付手段を設けられた構成を備えている。
【００２８】
図３、図４に、変形例に係るＬＥＤ照明器具のＬＥＤモジュールを本体１０の長手方向側面から見た図を示す。図３の本体１０においては、側壁１６の下端側及び上端側にそれぞれ一対の溝１６ａ、１６ａ及び溝１６ｂ、１６ｂが長手方向に形成されている。反射板１９Ａは、適宜な曲率を有するように屈曲した凹面鏡形状を有し、両側縁部には係合部１９Ａ１、１９Ａ２が設けられている。なお、反射板１９Ａには、銀鏡面レフや白色レフを採用することができる。また、複数のＬＥＤ３０が一列に並べられて実装された基板３３を、反射板１９Ａと対向する側壁１６に配置している。そして、基板３３が配設された一方の側壁１６に形成された溝１６ｂに係合部１９Ａ１が係合され、他方の側壁１６に形成された溝１６ａに係合部１９Ａ２が係合されている。
【００２９】
図４の本体１０に取りつけられる反射板１９Ｂは、一対の溝１６ｂ、１６ｂにそれぞれ係合する係合部１９Ｂ１、１９Ｂ２を両側縁に有し、二つの側壁１６の中点へ向かって適宜な曲率を有するように屈曲している。反射板１９Ｂには、銀鏡面レフや白色レフを採用することができる。そして、複数のＬＥＤ３０が一列に並べられて実装された基板３３を二枚、反射板１９Ｂの鏡面と対向する各側壁１６に配置している。
【００３０】
図３、図４の変形例によれば、ＬＥＤ３０から射出された光が反射板１９Ａや反射板１９Ｂに反射されて所望範囲を照明することができる。図３（ｂ）、図４（ｂ）は、側壁１６に形成された溝１６ａへブラスト加工された樹脂板や曇りガラスなどのブラストカバー２７を嵌合したものである。これによって、ＬＥＤ３０から射出された光の輝度が低下させられ、グレアを抑制することができる。
【００３１】
このように、本体１０を押し出し成形する際に溝１３、１８、１６ａ、１６ｂを形成することによって、基板３３、反射板１９Ａ、１９Ｂ、１９Ｃを本体１０に取り付ける取付手段を別途設ける工程を必要としないため、製造コストを低減させることができる。
【００３２】
図５（ａ）は、放熱用のヒートシンク２８ａを天板部１２の裏面側に設けた例であり、図５（ｂ）は、放熱用のヒートシンク２８ｂを側壁１６の裏面側に設けた例である。放熱用のヒートシンク２８ａ、２８ｂ以外の構成は、前述の各実施例の構成のいずれかが採用される。これによって、ＬＥＤ３０により生じた熱が基板３３から天板部１２や側壁１６を介してヒートシンク２８ａ、２８ｂに伝導し、適切な放熱がなされる。この場合、天板部１２の裏面各側縁部に、それぞれ一条の溝１２Ａを長尺方向に延びるように形成しておき、ヒートシンク２８ａの羽側から穴を介してネジを溝１２Ａに噛み合わせるようにして、溝１２Ａをヒートシンク２８ａのネジ止めに用いると好適である。図５（ｂ）には図示されていないが、側壁１６の裏面側についても同様の構成を採用することができる。
【００３３】
図６には、第２の実施例に係るＬＥＤ照明器具のＬＥＤモジュールに用いられる本体１０Ａの構成例を示す。この図６においても、本体１０Ａを本体１０Ａの長手方向側面から見た図を示している。本体１０Ａの天板部１２と一方の側壁１６の境界線から、他方の側壁１６と平面部１５の境界線へ向かって連続する反射板１９Ｃが、本体１０Ａと一体に形成されたものである。また、反射板１９Ｃは適宜な曲率を有するように屈曲した凹面鏡形状を有している。本体１０Ａはアルミニウム製の押出し材である。
【００３４】
反射板１９Ｃによって蓋がされていない側壁１６においては、側壁１６と天板部１２との境界部分に、基板３３における側縁部３７の一方を内包して押さえ込む凹条４１が形成されている。また、側壁１６における開放端側は、コ字状に折り曲げられて基板３３における側縁部３７の他方を内包して押さえ込む凹条４２が形成されている。凹条４１、４２は、本体１０Ａの押し出し成形時に形成されるものであり、基板３３の取付手段として機能する。
【００３５】
本体１０Ａの側面から基板３３を凹条４１、４２に合わせて挿入し、側面の奥方向へ押し付けることにより、基板３３を凹条４１、４２にて摺動して移動し、所望位置に把持させることができる。基板３３の厚み寸法を、凹条４１、４２の幅寸法にほぼ合わせて作成することにより、基板３３が凹条４１、４２に保持される。このように凹条４１、４２は、基板３３を基板取付面に取り付ける取付手段を構成する。なお、基板３３を側壁１６に設けた図示せぬ溝にネジなどにより固定するようにしても良い。
【００３６】
図７には、第３の実施例に係るＬＥＤ照明器具のＬＥＤモジュールに用いられる本体１０Ｂの構成例を示す。この図７においても、本体１０Ｂを本体１０Ｂの長手方向側面から見た図を示している。各側壁１６における開放端から天板部１２の中央部に向かって延びる板状の反射板１９Ｄが設けられ、反射板１９Ｄが本体１０Ｂと一体に形成されている。また、反射板１９Ｄは適宜な曲率を有するように屈曲した凹面鏡形状を有している。本体１０Ｂは、アルミニウム製の押出し材である。
【００３７】
二枚の反射板１９Ｄの先端部４３は、天板部１２の中央部に対向した状態となっており、先端部４３と天板部１２の間の寸法は、基板３３の厚み寸法にほぼ等しい。本体１０Ｂの側面から基板３３を反射板１９Ｄの先端部４３と天板部１２の間に合わせて挿入し、側面の奥方向へ押しつけることにより、基板３３を反射板１９Ｄの先端部４３の部分で摺動させて移動し、所望位置に把持させることができる。
【００３８】
先端部４３と天板部１２の間の寸法を、基板３３の厚み寸法にほぼ合わせて作成することにより、基板３３を反射板１９Ｄの先端部４３と天板部１２の間に保持することが可能である。この構成においては、基板３３を天板１２にネジなどにより固定するようにするとより強固な固定が可能である。このように反射板１９Ｄの先端部４３は、基板３３を基板取付面に取り付ける取付手段を構成する。
【００３９】
更に、側壁１６の天板１２側に基板３３の厚みと同程度の寸法の溝を設けておくと共に基板３３を両側の溝に係合可能な長さとしておくことで第２の取付手段を設けておいてもよい。この場合には、第２の取付手段は基板３３を本体１０Ｂに取り付けると共にガイド及び横方向の位置決め手段としての役割をも果たすことができる。
【００４０】
図８には、第４の実施例に係るＬＥＤ照明器具のＬＥＤモジュールに用いられる本体１０Ｃの構成例を示す。この本体１０Ｃにあっては、天板部１２の二長辺を構成する側縁部から中央側へ向かって適宜な間隔で突出する突出片４４が設けられている。この突出片４４は、天板部１２と所定間隔を有しており、突出片４４と天板部１２との間には空隙４５が存在する。この本体１０Ｃは、アルミニウム製の押出し材である。
【００４１】
複数のＬＥＤ３０が一列に並べられて実装された短冊状の基板３３Ａは、例えばアルミニウムなどの基材５０に搭載されて固定されている。基材５０は、天板部１２に配置する場合に、二つの突出片４４の間に入り込む幅寸法を有する張出部５１を有し、二つの張出部５１の間の寸法は本体１０Ｃにおける突出片４４の幅寸法とほぼ等しく構成されている。張出部５１のＬＥＤ３０側面には、突起５２が形成されている。突起５２を含んだ張出部５１の厚み寸法は、突出片４４と天板部１２との間に形成された空隙４５の高さ寸法より僅かに長く構成されている。
【００４２】
ＬＥＤ照明器具の製造に際しては、上記の通りに構成された基材５０とＬＥＤ３０が実装された基板３３Ａとからなるモジュールを、本体１０Ｃにおける平面部１５に隣接する開口側から天板部１２へ移動させ、張出部５１を二つの突出片４４の間に入り込ませる。この状態のモジュールを本体１０Ｃの長手方向に移動させて、張出部５１を、突出片４４と天板部１２との間に形成された空隙４５に位置付けて固定する。必要な個数のモジュールを、同様に位置付けて固定し、ＬＥＤ照明器具のＬＥＤモジュールを完成することができる。このように基材５０と突出片４４は、基板３３Ａを基板取付面に取り付ける取付手段を構成する。
【００４３】
図９には、第５の実施例に係るＬＥＤ照明器具のＬＥＤモジュールに用いられる本体１０Ｃの構成例を示す。この本体１０Ｃにあっては、図８に示された突出片４４が、連続する一枚の鍔板４４ａで形成されたものであり、鍔板４４ａの中央部にネジ穴４６が形成され、ネジ４７が螺合されている。ネジ４７の先端部には、基板３３の側縁部に位置するスペーサ４８が介装されている。本体１０Ｃの長手方向の寸法に匹敵する寸法のスペーサ４８を用いる場合には、ネジ４７の先端部とスペーサ４８は固定する必要はないが、ネジ４７の先端部の僅かな領域を占めるスペーサ４８はネジ４７と一対一に対応し、ネジ４７の先端部に固定される。
【００４４】
鍔板４４ａと天板部１２との間に形成される空隙４５の高さ寸法は、基板３３の厚み寸法より長く構成する。また、基板３３の幅寸法と天板部１２の幅寸法をほぼ等しく構成し、天板部１２を基板３３が覆うように構成する。基板３３を本体１０Ｃの側部から空隙４５へ挿入し、所定位置に位置付けて図１と同様にして図示しないネジにて固定する。また、ネジ４７を締め付けることによりスペーサ４８が基板３３の側縁部を押圧し、基板３３と天板部１２が密着する。
【００４５】
これによって、ＬＥＤ３０により発生された熱が基板３３を介して天板部１２から本体１０Ｃへ伝導され、適切な放熱がなされる。このように鍔板４４ａ、ネジ４７、スペーサ４８は、基板３３を基板取付面に取り付ける取付手段を構成する。なお、鍔板４４ａによらずに、図８と同様な突出片４４を用いるようにしても良い。
【００４６】
図１０に、本発明に係るＬＥＤ照明器具Ｌの組立斜視図を示す。このＬＥＤ照明器具Ｌは、ＬＥＤモジュールＭ及び器具本体１００から構成される。ＬＥＤモジュールＭの本体１０Ｄは、ＬＥＤ３０が実装された基板３３と結合する基板取付板６１から構成され、器具本体１００には、基板取付板６１が重ねられる器具側取付板６２が備えられている。基板３３とその取付面である基板取付板６１との結合構造に関しては、前述の実施例のいずれかの構成が採用される。上記基板取付板６１と器具側取付板６２については、基板取付板６１を着脱可能に保持するための保持機構としてのネジ６３が備えられている。
【００４７】
また図１１に示すように、基板取付板６１における器具側取付板６２と対向する面の適宜位置には、嵌合用突起６４が形成されており、器具側取付板６２における基板取付板６１と対向する面には、上記の嵌合用突起６４に対応する位置に、嵌合用凹部６５が形成されている。これらも基板取付板６１を着脱可能に保持するための保持機構を構成する。
【００４８】
更に、基板取付板６１における器具側取付板６２と対向する面の数か所には、電源供給用プラグ６６が設けられ。点灯回路からの電源供給を行う構成を採用している。また、器具側取付板６２における基板取付板６１と対向する面には、上記電源供給用プラグ６６に対応する位置にレセプラクル６７が設けられている。レセプラクル６７は、図示せぬ電源線を介して基板３３上のＬＥＤ３０に接続されている。
【００４９】
上記の構成によれば、基板取付板６１を器具側取付板６２の取り付ける際に、電源供給用プラグ６６とレセプラクル６７を結合することによりＬＥＤ３０に対する電力供給経路が確保される。また、ＬＥＤ３０に対するメンテナンスなどの場合には、基板取付板６１を取り外せば良く、照明器具のランプを交換するようにワンタッチで光照射部分の交換を行うことができ便利である。
【００５０】
このように、ＬＥＤモジュールの本体を押し出し成形で構成し、上述した取付手段を押し出し成形時に形成すると共に、器具本体を他の部材で構成した。すなわち、ＬＥＤが実装された基板と本体との取付構造を簡易な構成で実現するために、ＬＥＤモジュールの本体を押し出し成形で形成し、器具本体と別パーツとすることによって、全体の製造工程を減らし、コストを低減させたＬＥＤ照明器具を提供することができる。
【図面の簡単な説明】
【００５１】
【図１】本発明の第１の実施例に係るＬＥＤモジュールを用いて構成した照明器具の構成を示す一部省略組立斜視図。
【図２】本発明の第１の実施例に係るＬＥＤ照明器具のＬＥＤモジュールを本体の長手方向側面から見た状態を示す側面図。
【図３】本発明の第１の実施例に係るＬＥＤ照明器具のＬＥＤ照明器具の第１変形例に係るＬＥＤモジュールを本体の長手方向側面から見た状態を示す側面図。
【図４】本発明の第１の実施例に係るＬＥＤ照明器具の第２変形例を本体の長手方向側面から見た状態を示す側面図。
【図５】本発明の第１の実施例に係るＬＥＤ照明器具の本体にヒートシンクが取り付けられた状態を示す側面図。
【図６】本発明の第２の実施例に係るＬＥＤ照明器具の本体に基板が取り付けられた状態を示す側面図。
【図７】本発明の第３の実施例に係るＬＥＤ照明器具の本体に基板が取り付けられた状態を示す側面図。
【図８】本発明の第４の実施例に係るＬＥＤ照明器具の本体に基板が取り付けられる状態を示す一部省略組立斜視図。
【図９】本発明の第５の実施例に係るＬＥＤ照明器具の本体に基板が取り付けられた状態を示す側面図。
【図１０】本発明の第６の実施例に係るＬＥＤモジュールを用いて構成したＬＥＤ照明器具の構成を示す組立斜視図。
【図１１】本発明の第６の実施例に係るＬＥＤモジュールを用いて構成したＬＥＤ照明器具の構成の要部を拡大して示す一部省略組立斜視図。
【符号の説明】
【００５２】
１０、１０Ａ〜１０Ｄ  器具本体
１１  側板部
１２  天板部
１９Ａ〜１９Ｄ  反射板
３０  ＬＥＤ
３３  基板
２０  器具筐体
５０  基材
１００  器具本体
Ｍ  ＬＥＤモジュール
Ｌ  ＬＥＤ照明器具
【図１】
2010118277.tif 000003
【図２】
2010118277.tif 000004
【図３】
2010118277.tif 000005
【図４】
2010118277.tif 000006
【図５】
2010118277.tif 000007
【図６】
2010118277.tif 000008
【図７】
2010118277.tif 000009
【図８】
2010118277.tif 000010
【図９】
2010118277.tif 000011
【図１０】
2010118277.tif 000012
【図１１】
2010118277.tif 000013